(57)【要約】【課題】通常掃除時と壁際掃除時の集塵性能を両立し得る床用吸込具を提供する。【解決手段】下面に吸込口１０を有する吸込具本体と、この吸込具本体内に形成される回転ブラシ収納室１１と、前記吸込口１０に臨ませて回転ブラシ収納室１１内に回転自在に収納される回転ブラシ１５とを備え、回転ブラシ収納室１１内に取り込んだ空気を回転ブラシ１５で受けて回転ブラシ１５を回転させる床用吸込具において、回転ブラシ収納室１１内に取り込む空気を回転ブラシ１５を逆回転させる方向に向ける逆回転流路４３と回転ブラシ１５を正回転させる方向に向ける正回転流路４４を切り替える切替手段（シャッター４５とフィルム４６）を備え、当該切替手段は、壁際で回転ブラシの回転方向を逆回転から正回転に切り替えるようにした。【選択図】　　　　図７
2004041454.tif 000002
【特許請求の範囲】
【請求項１】
下面に吸込口を有する吸込具本体と、この吸込具本体内に形成される回転ブラシ収納室と、前記吸込口に臨ませて回転ブラシ収納室内に回転自在に収納される回転ブラシとを備え、前記回転ブラシ収納室内に取り込んだ空気を回転ブラシで受けて回転ブラシを回転させる床用吸込具において、
前記回転ブラシ収納室内に取り込む空気を回転ブラシを逆回転させる方向に向ける逆回転流路と回転ブラシを正回転させる方向に向ける正回転流路を切り替える切替手段を備え、当該切替手段は、壁際で回転ブラシの回転方向を逆回転から正回転に切り替えることを特徴とする床用吸込具。
【請求項２】
前記切替手段は、吸込具本体の前面に設けられて壁に当たると下部側が開放状態となるシャッターと、このシャッターに連動してシャッターが閉鎖状態のときは前記正回転流路を閉鎖すると共に逆回転流路を開放し、シャッターが開放状態のときは前記逆回転流路を閉鎖すると共に正回転流路を開放するシート状部材とから成ることを特徴とする請求項１記載の床用吸込具。
【請求項３】
前記シャッターの前面側にあって壁に当たるシャッターカバーを有し、このシャッターカバーを用いて前記シート状部材をシャッターに固定したことを特徴とする請求項２記載の床用吸込具。
【請求項４】
前記シート状部材を前記流路の吸気口側にガイドするガイド部をリブで形成したことを特徴とする請求項２又は請求項３記載の床用吸込具。
【請求項５】
前記流路の吸気口の周囲には略全周にリブを形成したことを特徴とする請求項４記載の床用吸込具。
【請求項６】
前記シート状部材に形成される開口部の移動方向両辺を繋ぐ橋渡し部を設けたことを特徴とする請求項２ないし請求項５のいずれかに記載の床用吸込具。
【請求項７】
前記シート状部材の自由端側を吸込具本体側に仮止めするための仮止め部を設けたことを特徴とする請求項２ないし請求項６のいずれかに記載の床用吸込具。
【請求項８】
前記切替手段は、吸込具本体の前面に設けられて壁に当たっていないときは上部側を開口して前記逆回転流路を形成し、壁に当たると下部側を開口して前記正回転流路を形成する弁体から成ることを特徴とする請求項１記載の床用吸込具。
【請求項９】
排気還流式の電気掃除機に用いられ、前記回転ブラシ収納室内に取り込んで回転ブラシを回転させる空気には掃除機本体からの還流排気を含むことを特徴とする請求項１ないし請求項８のいずれかに記載の床用吸込具。
【発明の詳細な説明】
【０００１】
【発明の属する技術分野】
本願発明は電気掃除機の床用吸込具に係わり、特に回転ブラシ収納室内に取り込んだ空気を回転ブラシで受けて回転ブラシを回転させる床用吸込具に関するものである。
【０００２】
【従来の技術】
従来のこの種の床用吸込具では、一般に回転ブラシの回転方向は一定であった。回転ブラシを逆回転（前進時の車輪の回転と逆）にすると、絨毯上の糸くずなどを掻き取りやすいというメリットがあり、逆に正回転にすると、粒状のもの（米粒など）を掻き込みやすく、前面下部に開口を開けても性能がそれほど劣らないというメリットがある。
【０００３】
また、回転ブラシの回転方向を逆回転にすると壁際のごみが取れにくく、正回転にすると絨毯上の糸くずなどの取れ具合が悪くなる。このように回転ブラシの回転方向を一方向に固定すると一方のメリットが得られなくなるといった問題があった。
【０００４】
また、回転ブラシは床用吸込具の進行方向に対して逆方向に回転させる方が絨毯上の糸くずなどのごみを掻き取りやすいため、進行方向に対して逆方向に回転ブラシを回転させるものが特開２０００−８３８７５号公報（Ａ４７Ｌ　９／０４）、特開２０００−３７３２８号公報（Ａ４７Ｌ　９／０４）、特開平１１−３０９０９６号公報（Ａ４７Ｌ　９／０４）などにて提案されている。
【０００５】
【発明が解決しようとする課題】
しかしながら、壁際を掃除する際は、前進させて壁に当てるものであるが、回転ブラシは逆回転しているため、壁に向かってごみを飛ばす方向に回転することになり、壁際での集塵性能に課題があった。
【０００６】
そこで、本願発明はこのような課題を解決するためになされたものであり、通常掃除時と壁際掃除時の集塵性能を両立し得る床用吸込具を提供することを目的とするものである。
【０００７】
【課題を解決するための手段】
上記のような目的を達成するために、本願発明は、下面に吸込口を有する吸込具本体と、この吸込具本体内に形成される回転ブラシ収納室と、前記吸込口に臨ませて回転ブラシ収納室内に回転自在に収納される回転ブラシとを備え、前記回転ブラシ収納室内に取り込んだ空気を回転ブラシで受けて回転ブラシを回転させる床用吸込具において、前記回転ブラシ収納室内に取り込む空気を回転ブラシを逆回転させる方向に向ける逆回転流路と回転ブラシを正回転させる方向に向ける正回転流路を切り替える切替手段を備え、当該切替手段は、壁際で回転ブラシの回転方向を逆回転から正回転に切り替えることを特徴とするものである。
【０００８】
また、前記切替手段は、吸込具本体の前面に設けられて壁に当たると下部側が開放状態となるシャッターと、このシャッターに連動してシャッターが閉鎖状態のときは前記正回転流路を閉鎖すると共に逆回転流路を開放し、シャッターが開放状態のときは前記逆回転流路を閉鎖すると共に正回転流路を開放するシート状部材とから成ることを特徴とするものである。
【０００９】
さらに、前記シャッターの前面側にあって壁に当たるシャッターカバーを有し、このシャッターカバーを用いて前記シート状部材をシャッターに固定したことを特徴とするものである。
【００１０】
また、前記シート状部材を前記流路の吸気口側にガイドするガイド部をリブで形成したことを特徴とするものである。
【００１１】
さらに、前記流路の吸気口の周囲には略全周にリブを形成したことを特徴とするものである。
【００１２】
また、前記シート状部材に形成される開口部の移動方向両辺を繋ぐ橋渡し部を設けたことを特徴とするものである。
【００１３】
また、前記シート状部材の自由端側を吸込具本体側に仮止めするための仮止め部を設けたことを特徴とするものである。
【００１４】
一方、前記切替手段は、吸込具本体の前面に設けられて壁に当たっていないときは上部側を開口して前記逆回転流路を形成し、壁に当たると下部側を開口して前記正回転流路を形成する弁体から成ることを特徴とするものである。
【００１５】
また、排気還流式の電気掃除機に用いられ、前記回転ブラシ収納室内に取り込んで回転ブラシを回転させる空気には掃除機本体からの還流排気を含むことを特徴とするものである。
【００１６】
【発明の実施の形態】
以下、本願発明の実施形態を図面を参照して詳細に説明する。
【００１７】
図１〜図１７は、本願発明を排気還流式の電気掃除機に用いられる床用吸込具に適用した一実施形態の構成及び作用を示す図であり、本実施形態の吸込具本体１は、図４，図５等に示すように、上ケース２及び上ケースカバー３、下ケース４及び下ケースカバー５、この下ケース４と下ケースカバー５間に周方向に回動自在に支持された回動管６、この回動管６に上下方向に回動自在に支持された接続管７等から構成され、接続管７が図示しない掃除機本体に連結されたホースや延長管に接続されて使用される。なお、上記接続管７には、吸気流路８と共に排気還流路９が形成されている。
【００１８】
上記吸込具本体１の下面には長手方向に開口する吸込口１０が形成され、その上方に下ケース４と下ケースカバー５によって形成される回転ブラシ収納室１１が設けられている。この回転ブラシ収納室１１内には、それぞれ一対のブラシ体１２とブレード１３が芯体１４に螺旋状に取り付けられた回転ブラシ１５が吸込口１０に臨ませた状態で回転自在に収納されている。
【００１９】
上記回転ブラシ１５の回転軸両端部には軸受部（図示せず）が取り付けられており、両軸受部は、図３に示すように下ケース４の両側に形成された装着部１７に装着されるように構成されている。この両側の装着部１７のうち一方側には、回転ブラシ１５の軸受部を着脱可能に固定するカバー（ブラシリテーナー）１８が設けられている。このブラシリテーナー１８は、図１０〜図１２に示すように、下ケース４の背面側に配置されたスライド操作部２０を有するクランプフック２１により着脱可能に固定されるようになっている。このクランプフック２１は、一端側にブラシリテーナー１８の固定孔２２に挿入される固定爪２３を有し、他端側に下ケース４のスプリング装着溝２４に装着されたスプリング２５に当接する突出部２６を有する。
【００２０】
ところで、スプリング２５だけだと、クランプフック２１を閉めるためのスプリング２５の反発力は自然長に近くなるほど弱く、クランプフック２１が閉まった状態ではスプリング２５の反発力はかなり弱くなる。そのため、通常使用中に振動や小さなショックでクランプフック２１が開いてしまう可能性がある。
【００２１】
そこで、本実施形態では、上記クランプフック２１に樹脂の復元力を利用した弾性リブ２７が形成されており、この弾性リブ２７の先端に突起２８を形成している。そして、これと対向する下ケース４側には、弾性リブ２７に復元力を与えるための傾斜面２９が形成されており、この傾斜面２７のブラシリテーナー１８側には段差３０が形成されている。これにより、樹脂の復元力によるクランプフック２１を閉める方向への付勢力とクリック感を得ることができるようになっている。
【００２２】
図１１は、ブラシリテーナー１８の取り外し時及び取り付け時の状態を示したものである。ブラシリテーナー１８の取り外し時には、スライド操作部２０を指で矢印Ｒ方向にスライドすることで、クランプフック２１の固定爪２３がブラシリテーナー１８の固定孔２２から外れ、ブラシリテーナー１８を取り外すことができる。これにより、回転ブラシ１５を取り外して掃除等のメンテナンスを行うことができる。
【００２３】
また、ブラシリテーナー１８の取り付け時には、ブラシリテーナー１８を矢印Ｕ方向に押し込むようにするだけで、クランプフック２１の突出する固定爪２３の傾斜面３１にブラシリテーナー１８が当たることにより、クランプフック２１を開ける方向にスライドさせて、ブラシリテーナー１８の固定孔２２にクランプフック２１の固定爪２３が自動的に入ることで、クランプフック２１は閉まり、ブラシリテーナー１８を容易に固定できる。クランプフック２１が閉まるときには、傾斜面２９の最後に段差３０が形成されているので、閉まった状態を確認できるクリック感を得ることができると共に、閉まった状態を保持する更なる保持力が発生する。
【００２４】
このように、クランプフック２１のスライド付勢力に、スプリング２５と樹脂（弾性リブ２７）の２種類の復元力を併用することで、クランプフック２１が閉まった状態の時でも、スプリング２５と樹脂の復元力の合力により十分な保持力を維持することができる。また、一方の復元力が失われても動作が可能で、さらには、コストダウンとしてスプリング２５を廃止することも考えられる。
【００２５】
一方、吸込具本体１の底面側には、接続管７の下部側に位置して後車輪３３が備えられ、前部両側には左右一対の前車輪３４，３４が備えられている。
【００２６】
さらに、吸込口１０の後側底面には、吸込口１０の長手方向にわたって床磨きブラシ３５が取り付けられており、この床磨きブラシ３５はフローリング床等を磨く機能の他に、吸込口１０に後側から空気が多量に吸い込まれて吸引力が低下するのを抑えるシール機能や前進時に吸い込めなかったごみを前方に跳ね返す機能等の集塵性能を向上する機能を有する。
【００２７】
また、吸込具本体１の前面から両側面にわたってバンパー３６が設けられており、このバンパー３６の両側のコーナー部分には起毛布３７が取り付けられているので、バンパー３６のコーナー部分が壁や家具等に衝突しても壁や家具等に傷などが付かないように構成されている。
【００２８】
一方、下ケースカバー５と上ケース２との間には、前記接続管７の排気還流路９に連通する空間４０が形成されている。さらに、吸込具本体１の左右上面に対応する上ケース２と上ケースカバー３には、図１，図６，図７等に示すように左右に前後２つずつ外気を取り込むための吸気孔４１，４２が形成されている。また、上記吸気孔４１，４２に対応して下ケースカバー５には、図６，図７等に示すように回転ブラシ収納室１１内に取り込む空気（外気Ａと還流排気Ｂ）を図６に示すように回転ブラシ１５を逆回転（図の時計廻りに回転）させる方向に向ける逆回転流路４３と、図７に示すように回転ブラシ１５を正回転（図の反時計廻りに回転）させる方向に向ける正回転流路４４が形成されている。外気Ａと共に還流排気Ｂが回転ブラシ１５のブラシ体１２やブレード１３に当たることにより、回転ブラシ１５の回転力を向上することができるが、外気Ａだけでも回転ブラシ１５を回転することはできる。
【００２９】
上記各流路４３，４４の切り替えは、吸込具本体１の前面に設けられて壁に当たると下部側が内側に向いて開放状態となる回動式のシャッター４５と、このシャッター４５に取り付けられて連動し、シャッター４５が閉鎖状態のときは前記正回転流路４４を閉鎖すると共に逆回転流路４３を開放し、シャッター４５が開放状態のときは逆回転流路４３を閉鎖すると共に正回転流路４４を開放する例えばポリエステル製のフィルム（シート状部材）４６とによってなされる。
【００３０】
上記フィルム４６としては、ポリエステル製などのシート状原材料から図１５に示すような形状に切り抜いたものを２つ使用する。このフィルム４６の幅狭部分には、上記シャッター４５に取り付けるための固定用孔４７が形成されており、幅広部分には、前記正回転流路４４の吸気口４４ａに対応する前側開口部４８と、前記逆回転流路４３の吸気口４３ａに対応すると共に後述する仮止め用リブに引っかけるために前側開口部４８よりも縦長に形成された後側開口部４９が形成されている。上記各開口部４８，４９には、中央部で２分割するように移動方向両辺を繋ぐ橋渡し部４８ａ，４９ａが設けられている。
【００３１】
一方、シャッター４５は、前記バンパー３６の前側下部で両前車輪３４間に形成された開口部を開閉するもので、その上部に設けられたシャッター軸５０によって回動可能に構成され、シャッター軸５０に装着されたスプリング５１により開口部を閉鎖する方向に付勢されている。なお、本実施形態では、シャッター軸５０の片側にのみスプリング５１を設けたが、両側にスプリング５１を設けるようにしても良い。
【００３２】
上記シャッター４５は、図１３，図１４等に示すように、前面の両側に突起５２が形成されていると共に、この突起５２の下部側に表裏を貫通する貫通孔５３と、この貫通孔５３の裏側にフィルム４６の前記固定用孔４７を引っかける爪状リブ５４が形成されている。さらに、前側の突起５２を覆うシャッターカバー５５を有し、このシャッターカバー５５の下部側を延長して前記貫通孔５３の裏側まで達するリブ５６を形成し、その先端に前記爪状リブ５４に係合するフック部５７を形成している。
【００３３】
シャッター４５にフィルム４６を固定するときは、まずフィルム４６の固定用孔４７をシャッター４５の爪状リブ５４に仮止めする。そして、シャッター４５の前側の突起５２にシャッターカバー５５を装着すると共に、下部側の延長したリブ５６を貫通孔５３に通して先端のフック部５７を、フィルム４６が仮止めされた爪状リブ５４に係合させることにより、貫通孔５３とシャッターカバー５５のリブ５６でフィルム４６を挟み込むようにして固定する。これにより、フィルム４６は位置決め固定されて、抜けなくなる。
【００３４】
上記のようなフィルムの固定方法として一般的に考えられるのは、固定専用の別部品による挟み込みや溶着や接着などであるが、低コスト化や省スペース化にとって不利になる。これに対して、本実施形態のように、シャッターカバー５５を有効利用することで、安価かつ省スペースでフィルム４６をしっかりと固定することができる。
【００３５】
また、上記フィルム４６を前記逆回転流路４３や正回転流路４４の吸気口４３ａ，４４ａ側にガイドするガイド部を、上ケース２の裏面側と下ケースカバー５の表面側の両方に形成されたガイドリブ２ａ，５ａで形成している。図１６に上ケース２と下ケースカバー５のガイドリブ２ａ，５ａを示す。これらのガイドリブ２ａ，５ａ間をフィルム４６が摺動し、吸気口４３ａ，４４ａの開閉が行われる。
【００３６】
さらに、前記流路４３，４４の吸気口４３ａ，４４ａの周囲はフィルム４６と下ケースカバー５との気密性が必要なため全周にガイドリブ５ｂを形成している。フィルム４６を面でガイドすると、過大な摩擦抵抗やごみ詰まりによるフィルム４６の動作不良が生じる虞があるが、フィルム４６を誘導するためのガイドリブ２ａ，５ａを設け、吸気口４３ａ，４４ａの周囲には全周リブ５ｂを設けることにより、摩擦抵抗が低減すると共にごみ詰まりが発生しなくなり、スムーズな摺動が可能となる。また、フィルム４６と下ケースカバー５との気密性を確保することができる。さらに、フィルム４６の各開口部４８，４９には、移動方向両辺を繋ぐ橋渡し部４８ａ，４９ａが設けられているので、移動方向両辺が変形しにくくなってガイドリブ２ａ，５ａ，５ｂ等に引っかかるようなことがなくなり、よりスムーズに摺動可能となる。
【００３７】
上記フィルム２６の組み付けは、下ケースカバー５と上ケース２との間の曲面に沿わせて挟み込むようにして設置する構成となっており、フィルム２６は平面状の原材料から切り抜いたものを使用するが、フィルム２６の平面に戻ろうとする復元力により、ケースの曲面に沿わず、組み立てが行いにくくなる。そこで、本実施形態では、下ケースカバー５側の上部に爪が後側を向いた仮止め用の爪状リブ５８を設け、フィルム４６の後側の吸気口４９が引っかかるように構成している。この爪状リブ５８により、組み立て時に振動やショックが加わっても外れなくなる。また、使用時には、フィルム４６の浮き上がりを防止するガイドも兼ねる。
【００３８】
図１７は上ケース２を取り付ける前の段階であるが、フィルム４６はシャッター４５と一体になっており、下ケース４と下ケースカバー５の隙間を通ることで、水平方向から上方向に曲げられる。この後、下ケースカバー５に設けた爪状リブ５８にフィルム４６の後側の吸気口４９を引っかけることで下ケースカバー５に沿うように設置されるので、組み立て易くなる。
【００３９】
このように下ケースカバー５に爪状リブ５８を設け、フィルム４６を仮止めすることで、組み立ての際にフィルム４６の復元力により、フィルム４６が下ケースカバー５に沿わずに組み立てにくいといった問題が解決し、また、フィルム４６のガイドも兼ねる。
【００４０】
以上の構成において、壁際以外の通常掃除時には、フィルム４６が図６に示すように上部前側の吸気口４４ａを閉じ、上部後側の吸気口４３ａを開いた状態にある。従って、破線矢印で示すように上部後側の吸気口４３ａより逆回転流路４３を通して外気Ａと還流排気Ｂが吸気されることにより、回転ブラシ１５が逆回転する。この逆回転により絨毯上の糸くずなどを効率良く掻き取ったり、下面の吸込口１０よりごみを吸い込むことができる。
【００４１】
これに対して、壁際では、図７に示すように、シャッター４５の前側の突起５２を覆うシャッターカバー５５が壁に当たって下向きになることにより、シャッター４５が内側に回動して下部側が開放状態になると共に、シャッター４５の回動に連動してフィルム４６がケースのガイドリブ２ａ，５ａ，５ｂにガイドされて摺動する。これにより、フィルム４６はシャッター４５が開くのと連動して後側の吸気口４３ａを閉じ、前側の吸気口４４ａを開く。従って、破線矢印で示すように上部前側の吸気口４４ａより正回転流路４４を通して外気Ａと還流排気Ｂが吸気されることにより、回転ブラシ１５が正回転する。このように、壁際ではシャッター４５が開き、回転ブラシ１５の回転方向が逆回転から正回転に切り替わることにより、壁際の床面に溜まったごみを効率良く吸い込むことができ、また米粒などを前方に弾き返すこともない。
【００４２】
このように床用吸込具の回転ブラシ１５の回転方向を通常掃除時は逆回転、壁際では正回転に切り替えることで、通常掃除時と壁際掃除時の集塵性能を両立できるようになる。また、フィルム４６を用いることにより、吸気を効率良く回転ブラシ１５に導くように切り替えることができ、回転効率を向上させることができる。また、上述した切り替え動作を確実に行うことができる。
【００４３】
図１８〜図２２は、本願発明の他の実施形態の構成及び作用を示す図であり、前記実施形態と同一符号は同一又は相当部分を示しており、また前記実施形態と同一となる図面は省略している。
【００４４】
前記実施形態では、本願発明を排気還流式の電気掃除機に用いられる床用吸込具に適用した場合について示したが、本実施形態では、排気還流式でない通常の電気掃除機に適用した場合を示している。
【００４５】
前記実施形態と異なる点は、吸込具本体１の接続管７に排気還流路が設けられておらず、図２１，図２２に示すように、回転ブラシ１５を回転駆動するために回転ブラシ収納室１１内に取り込まれる空気は外気Ａのみとなる点であり、他の構成は前記実施形態と同様である。
【００４６】
前述したように、外気Ａのみでも回転ブラシ１５を回転駆動することができるので、前記実施形態とほぼ同様な作用効果が得られる。
【００４７】
図２３〜図２７は、本願発明の更に他の実施形態の構成及び作用を示す図であり、前記実施形態と同一符号は同一又は相当部分を示している。
【００４８】
本実施形態は、本願発明を排気還流式の電気掃除機に用いられる床用吸込具に適用した他の実施形態で、前記図１〜図１７に示した実施形態では、壁際で回転ブラシ１５の回転方向を切り替えるためにシャッター４５とフィルム４６を用いているが、本実施形態では、吸込具本体１の前面に設けられて壁に当たっていないときは上部側を開口して逆回転流路を形成し、壁に当たると下部側を開口して正回転流路を形成する弁体６０を用いている。
【００４９】
すなわち、吸込具本体１の前面側には、左右の２箇所に上部吸気口６１と下部開口６２が形成されており、これら上部吸気口６１と下部開口６２との間に設けられた回動軸６３に上部吸気口６１を開閉する上部開閉弁６４と下部開口６２を開閉する下部開閉弁６５が略くの字状に取り付けられた弁体６０が設けられており、回動軸６３に装着されたスプリング６６により上部吸気口６１を開放し、下部開口６２を閉鎖する方向に付勢されている。また、弁体６０の前面側には壁に当たると下向きに回動するレバー６７が設けられている。また、掃除機本体からの還流排気を下ケースカバー５と上ケース２間の空間４０を介して前記上部吸気口６１側に供給する還流排気用の吸気口６８が形成されている。なお、本実施形態においても、回動軸６３の片側にのみスプリング６６を設けたが、両側にスプリング６６を設けるようにしても良い。
【００５０】
通常掃除時は、弁体６０が図２６に示すように、上部開閉弁６４で上部吸気口６１を開放し、下部開閉弁６５で下部開口６２を閉鎖した状態にあり、斜め上方に向けられた上部開閉弁６４により回転ブラシ１５を逆回転させる逆回転流路７０が形成される。これにより、外気Ａと共に還流排気Ｂが上部開閉弁６４にガイドされて逆回転流路７０方向に吹き付けられるので、回転ブラシ１５は逆回転し、この逆回転により絨毯上の糸くずなどを効率良く掻き取ることができ、また下面の吸込口１０からごみを吸い込むことができる。
【００５１】
これに対して、壁際では、図２７に示すように、レバー６７が壁に当たって弁体６０が図の反時計廻りに回動することで、上部吸気口６１が上部開閉弁６４によって閉じられ、下部開口６２が下部開閉弁６５によって開かれ、正回転流路７１が形成される。下部開口６２からの外気Ａは下部開閉弁６５の下面により回転ブラシ１５の下部側に案内され、還流排気Ｂも下部開閉弁６５の上面により回転ブラシ１５の下部側に案内されるので、回転ブラシ１５は正回転する。これにより、壁際の床面に溜まったごみを効率良く吸い込むことができ、また米粒などを前方に弾き返すこともない。
【００５２】
このように、上述したような構成の弁体６０を用いて、回転ブラシ１５の回転方向を通常掃除時は逆回転、壁際では正回転に切り替えることにより、比較的簡単な構成で通常掃除時と壁際掃除時の集塵性能を両立できるようになる。
【００５３】
図２８〜図３０は、本願発明の更に他の実施形態の構成及び作用を示す図であり、前記実施形態と同一符号は同一又は相当部分を示しており、また前記実施形態と同一となる図面は省略している。
【００５４】
前記実施形態では、本願発明を排気還流式の電気掃除機に用いられる床用吸込具に適用した場合ついて示したが、本実施形態では、排気還流式でない通常の電気掃除機に適用した場合を示している。
【００５５】
前記実施形態と異なる点は、吸込具本体１の接続管７に排気還流路が設けられておらず、図２９、図３０に示すように、回転ブラシ１５を回転駆動するために回転ブラシ収納室１１内に取り込まれる空気は外気Ａのみとなる点であり、他の構成は前記実施形態と同様である。
【００５６】
前述したように、外気Ａのみでも回転ブラシ１５を回転駆動することができるので、排気還流式でない通常の電気掃除機に適用しても、回転ブラシ１５の回転力が多少低下する点を除けば前記実施形態とほぼ同様な作用効果が得られる。
【００５７】
図３１，図３２は、本願発明の更に他の実施形態の構成及び作用を示す図であり、前記実施形態と同一符号は同一又は相当部分を示している。
【００５８】
本実施形態では、前記実施形態と同様、排気還流式でない通常の電気掃除機に適用した場合を示している。
【００５９】
前記実施形態と異なる点は、上ケース２の上部に外気を取り込む吸気口７５を形成したものであり、この吸気口７５から取り込まれた外気Ａを下ケースカバー５と上ケース２間の空間４０を介して前面の上部吸気口６１側に供給する吸気口６８が形成されている。
【００６０】
このように構成しても、前記実施形態とほぼ同様な作用効果が得られると共に、回転ブラシ収納室１１内に取り込まれる吸気量が増えるので、回転ブラシ１５の回転力が向上する。
【００６１】
【発明の効果】
以上のように本願発明によれば、回転ブラシ収納室内に取り込む空気を回転ブラシを逆回転させる方向に向ける逆回転流路と回転ブラシを正回転させる方向に向ける正回転流路を切り替える切替手段を備え、当該切替手段は、壁際で回転ブラシの回転方向を逆回転から正回転に切り替えるようにしたことにより、通常掃除時と壁際掃除時の集塵性能を両立できるようになる。
【００６２】
また、前記切替手段は、吸込具本体の前面に設けられて壁に当たると下部側が開放状態となるシャッターと、このシャッターに連動してシャッターが閉鎖状態のときは前記正回転流路を閉鎖すると共に逆回転流路を開放し、シャッターが開放状態のときは前記逆回転流路を閉鎖すると共に正回転流路を開放するシート状部材とから成るものであるから、通常掃除時には回転ブラシが逆回転することにより、絨毯上の糸くずなどを効率良く掻き取ったり、下面の吸込口よりごみを吸い込むことができ、壁際掃除時にはシャッターが開いて回転ブラシが正回転することで、壁際の床面に溜まったごみを効率良く吸い込むことができ、また米粒などを前方に弾き返すこともない。また、シート状部材を用いることにより、吸気を効率良く回転ブラシに導くように切り替えることができ、回転効率を向上させることができる。また、上述した切り替え動作を確実に行うことができる。
【００６３】
さらに、前記シャッターの前面側にあって壁に当たるシャッターカバーを有し、このシャッターカバーを用いて前記シート状部材をシャッターに固定したことにより、シャッターカバーを有効利用して、安価かつ省スペースでシート状部材をしっかりと固定することができる。
【００６４】
また、前記シート状部材を前記流路の吸気口側にガイドするガイド部をリブで形成したことにより、摩擦抵抗が低減すると共にごみ詰まりが発生しなくなり、スムーズな摺動が可能となる。
【００６５】
さらに、前記流路の吸気口の周囲には略全周にリブを形成したことにより、気密性を確保することができる。
【００６６】
また、前記シート状部材に形成される開口部の移動方向両辺を繋ぐ橋渡し部を設けたことにより、移動方向両辺が変形しにくくなってガイドリブ等に引っかかるようなことがなくなり、よりスムーズに摺動可能となる。
【００６７】
また、前記シート状部材の自由端側を吸込具本体側に仮止めするための仮止め部を設けたことにより、組み立て時にシート状部材の自由端側を仮止め部に仮止めすることで、組み立て時に振動やショックが加わっても外れなくなり、組み立て易くなる。
【００６８】
一方、前記切替手段は、吸込具本体の前面に設けられて壁に当たっていないときは上部側を開口して前記逆回転流路を形成し、壁に当たると下部側を開口して前記正回転流路を形成する弁体から成るものとすることにより、比較的簡単な構成で通常掃除時と壁際掃除時の集塵性能を両立できるようになる。
【００６９】
また、排気還流式の電気掃除機に用いられ、前記回転ブラシ収納室内に取り込んで回転ブラシを回転させる空気には掃除機本体からの還流排気を含むようにすることにより、回転ブラシの回転力を向上することができる。
【図面の簡単な説明】
【図１】本願発明の一実施形態に係る床用吸込具の上面図。
【図２】同じく、正面図。
【図３】同じく、底面図。
【図４】同じく、側面図。
【図５】同じく、中央部の縦断面図。
【図６】上記実施形態の要部構成及び通常掃除時の作用を示す縦断面図。
【図７】同じく、要部構成及び壁際掃除時の作用を示す縦断面図。
【図８】同じく、通常掃除時と壁際掃除時のフィルムの状態を示す説明図。
【図９】同じく、シャッター部分を一部切欠き断面で示した正面図。
【図１０】同じく、ブラシリテーナーのクランプ機構を示す図で、（ａ）は背面図（ｂ）のＡ−Ａ断面図である。
【図１１】同じく、ブラシリテーナーの取り外し時及び取り付け時の状態を示す図で、（ａ）は背面図（ｂ）のＢ−Ｂ断面図である。
【図１２】同じく、上記床用吸込具の背面図。
【図１３】上記シャッターへのフィルムの固定構造及び固定方法を示す説明図。
【図１４】同じく、シャッターへのフィルムの固定構造及び固定方法を示す分解斜視図。
【図１５】上記フィルムの平面図。
【図１６】上記フィルムが装着される下ケースカバー及び上ケースに形成されたリブ等を示す要部斜視図。
【図１７】上ケースを取り付ける前のフィルム状態と仮止め状態を示す縦断面図。
【図１８】本願発明の他の実施形態に係る床用吸込具の底面図。
【図１９】同じく、側面図。
【図２０】同じく、中央部の縦断面図。
【図２１】上記実施形態の要部構成及び通常掃除時の作用を示す縦断面図。
【図２２】同じく、要部構成及び壁際掃除時の作用を示す縦断面図。
【図２３】本願発明の更に他の実施形態に係る床用吸込具の中央部の縦断面図。
【図２４】同じく、正面図。
【図２５】同じく、弁体部分を一部断面で示した正面図。
【図２６】上記実施形態の要部構成及び通常掃除時の作用を示す縦断面図。
【図２７】同じく、要部構成及び壁際掃除時の作用を示す縦断面図。
【図２８】本願発明の更に他の実施形態に係る床用吸込具の中央部の縦断面図。
【図２９】上記実施形態の要部構成及び通常掃除時の作用を示す縦断面図。
【図３０】同じく、要部構成及び壁際掃除時の作用を示す縦断面図。
【図３１】本願発明の更に他の実施形態に係る床用吸込具の要部構成及び通常掃除時の作用を示す縦断面図。
【図３２】同じく、要部構成及び壁際掃除時の作用を示す縦断面図。
【符号の説明】
１　吸込具本体
２　上ケース
２ａ　ガイドリブ
４　下ケース
５　下ケースカバー
５ａ，５ｂ　ガイドリブ
１０　吸込口
１１　回転ブラシ収納室
１５　回転ブラシ
１８　ブラシリテーナー
２１　クランプフック
２５　スプリング
２７　弾性リブ
２８　突起
２９　傾斜面
３０　段差
４１，４２　吸気孔
４３　逆回転流路
４３ａ　吸気口
４４　正回転流路
４４ａ　吸気口
４５　シャッター
４６　フィルム
４７　固定用孔
４８，４９　開口部
４８ａ，４９ａ　橋渡し部
５０　シャッター軸
５１　スプリング
５２　突起
５３　貫通孔
５４　爪状リブ
５５　シャッターカバー
５６　リブ
５７　フック部
５８　爪状リブ
６０　弁体
６１　上部吸気口
６２　下部開口
６３　回動軸
６４　上部開閉弁
６５　下部開閉弁
６６　スプリング
６７　レバー
６８　環流排気用吸気口
７０　逆回転流路
７１　正回転流路
７５　吸気口
Ａ　外気
Ｂ　還流排気
【図１】
2004041454.tif 000003
【図２】
2004041454.tif 000004
【図３】
2004041454.tif 000005
【図４】
2004041454.tif 000006
【図５】
2004041454.tif 000007
【図６】
2004041454.tif 000008
【図７】
2004041454.tif 000009
【図８】
2004041454.tif 000010
【図９】
2004041454.tif 000011
【図１０】
2004041454.tif 000012
【図１１】
2004041454.tif 000013
【図１２】
2004041454.tif 000014
【図１３】
2004041454.tif 000015
【図１４】
2004041454.tif 000016
【図１５】
2004041454.tif 000017
【図１６】
2004041454.tif 000018
【図１７】
2004041454.tif 000019
【図１８】
2004041454.tif 000020
【図１９】
2004041454.tif 000021
【図２０】
2004041454.tif 000022
【図２１】
2004041454.tif 000023
【図２２】
2004041454.tif 000024
【図２３】
2004041454.tif 000025
【図２４】
2004041454.tif 000026
【図２５】
2004041454.tif 000027
【図２６】
2004041454.tif 000028
【図２７】
2004041454.tif 000029
【図２８】
2004041454.tif 000030
【図２９】
2004041454.tif 000031
【図３０】
2004041454.tif 000032
【図３１】
2004041454.tif 000033
【図３２】
2004041454.tif 000034